(57)【特許請求の範囲】
【請求項１】
トラクタの後部に作業機連結用のクイックヒッチを設け、該クイックヒッチにトラクタ側のコントローラと、作業機側のセンサ及びモータとを接続する電気ケーブル接続用のカプラを取り付けたクイックカプラであり、該クイックカプラには、前記カプラの側面部を囲繞するセフティカバーとこのセフティカバーの外形寸法より大で且つセフティカバーの一側部に開閉自在に蝶着された保護カバーとを備え、この保護カバーを開閉して前記カプラを露出または被蔽するように形成したクイックカプラであって、門形のヒッチフレームの上部中央位置に上部フックを固設するとともに、該ヒッチフレームの左右下縁部に下部フックを設け、該ヒッチフレームの一方の下端部にベースを固着し、このベースに前記電気ケーブル接続用のカプラとセフティカバーと保護カバーとを取り付け、更に、クイックカプラが接続された状態ではトラクタに備えたモニタランプを点灯させるように構成されたトラクタのクイックカプラに於いて、
上記保護カバーはその内側に前記セフティカバーの外形縁部に接離するシール部が周設されており、更に、前記トラクタ側電気ケーブルに、クイックカプラの接続を点灯告知するモニタランプを含む複数個のモニタランプを点灯させる表示装置が前記コントローラを介して接続されてなり、他方、作業機側クイックカプラの電気ケーブルには外部電源取り出し用のソケットを含む複数個のソケットが設けられており、該ソケットへの通電は前記コントローラに設けられた切替スイッチのオン、オフにて操作されると共に、これ等のソケットに対する通電に対応して前記表示装置のモニタランプを点灯告知させるように構成されたことを特徴とするトラクタのクイックカプラ。
【発明の詳細な説明】
【０００１】
【産業上の利用分野】
本発明はトラクタのクイックカプラに関するものであり、特に、クイックカプラの保護カバーに関するものである。
【０００２】
【従来の技術】
ロータリ等の作業機は、トラクタの後部に３点リンクや２点リンク等の連結装置を介して脱着自在に連結されているが、近年、トラクタと作業機をワンタッチにて連結するクイックヒッチが多用されつつある。
【０００３】
また、前記クイックヒッチに電気ケーブル接続用のカプラを取り付け、作業機を連結するときに、機体側のカプラへ作業機側のカプラを自動的に結合するクイックカプラも知られている。そして、トラクタから作業機を離反したときにはカプラに保護カバーを蓋着し、この保護カバーによって非使用時のカプラを泥水や小石等から保護している。
【０００４】
また、トラクタに作業機を連結するときには、トラクタ及び作業機双方のカプラ同志を結合するために保護カバーを取り外すが、該保護カバーを喪失しないように、ひもやワイヤ等にてカプラの近傍位置に保護カバーを繋止しておく。
【０００５】
【発明が解決しようとする課題】
従来、クイックカプラを備えたトラクタに作業機を連結したときは、カプラの近傍位置に保護カバーを繋止しておくが、小石や泥水等の飛散によって保護カバーのカプラ接触面が汚損されることがある。然るときは、トラクタから作業機を離反してカプラへ保護カバーを蓋着する際に、保護カバーのカプラ接触面の土泥がカプラへ付着し、次回再びカプラ同志を結合するときに接触不良を起す虞がある。
【０００６】
そこで、クイックカプラの使用時或いは不使用時の何れの状態に於いても、カプラへの土泥や塵芥等の付着を防止し、カプラを確実に保護するために解決すべき技術的課題が生じてくるのであり、本発明はこの課題を解決することを目的とする。
【０００７】
【課題を解決するための手段】
本発明は上記目的を達成するために提案されたものであり、トラクタの後部に作業機連結用のクイックヒッチを設け、該クイックヒッチにトラクタ側のコントローラと、作業機側のセンサ及びモータとを接続する電気ケーブル接続用のカプラを取り付けたクイックカプラであり、該クイックカプラには、前記カプラの側面部を囲繞するセフティカバーとこのセフティカバーの外形寸法より大で且つセフティカバーの一側部に開閉自在に蝶着された保護カバーとを備え、この保護カバーを開閉して前記カプラを露出または被蔽するように形成したクイックカプラであって、門形のヒッチフレームの上部中央位置に上部フックを固設するとともに、該ヒッチフレームの左右下縁部に下部フックを設け、該ヒッチフレームの一方の下端部にベースを固着し、このベースに前記電気ケーブル接続用のカプラとセフティカバーと保護カバーとを取り付け、更に、クイックカプラが接続された状態ではトラクタに備えたモニタランプを点灯させるように構成されたトラクタのクイックカプラに於いて、
上記保護カバーはその内側に前記セフティカバーの外形縁部に接離するシール部が周設されており、更に、前記トラクタ側電気ケーブルに、クイックカプラの接続を点灯告知するモニタランプを含む複数個のモニタランプを点灯させる表示装置が前記コントローラを介して接続されてなり、他方、作業機側クイックカプラの電気ケーブルには外部電源取り出し用のソケットを含む複数個のソケットが設けられており、該ソケットへの通電は前記コントローラに設けられた切替スイッチのオン、オフにて操作されると共に、これ等のソケットに対する通電に対応して前記表示装置のモニタランプを点灯告知させるように構成されたトラクタのクイックカプラを提供するものである。
【０００８】
【作用】
カバーの内側に前記セフティカバーの外形縁部に接離するシール部が周設された保護カバーにて被蔽して異物付着から保護してなるところの該保護カバーでカプラを蓋着保護するから、保護カバーに付着した土泥がクイックカプラを汚損することはない。又、トラクタに作業機を連結するときは上記保護カバーを開放してカプラを露出させ、クイックヒッチを連結させるとともに、トラクタ及び作業機のカプラ同志を結合する。然るときは、トラクタ側の表示装置のモニタランプが点灯してクイックカプラが接続中である旨を告知する。
【０００９】
作業機側クイックカプラの電気ケーブルには外部電源取り出し用のソケットを含む複数個のソケットが設けられているので、作業機の種々の追加装備の電源の接続が可能である。
【００１０】
【実施例】
以下、本発明の一実施例を図面に従って詳述する。図１はトラクタの後部に設けられた作業機連結用のクイックヒッチ１１を示し、門形のヒッチフレーム１２の上部中央位置に上部フック１３を固設し、ヒッチフレーム１２の左右下縁部に下部フック１４，１５を装着する。また、ヒッチフレーム１２の下方中央にはＰＴＯ連結具の出力部１６が支架されており、ＰＴＯ軸（図示せず）からユニバーサルジョイント１７を介してＰＴＯ動力が出力される。
【００１１】
ここで、前記ヒッチフレーム１２の一方の下端部にベース１８を固着し、このベース１８に電気ケーブル接続用のカプラ１９を取り付ける。尚、後述するが、作業機側にも該カプラ１９に対峙する位置にカプラを設けてあり、双方のカプラにてクイックカプラが構成される。そして、作業機側に設けられた上部ピンへ前記上部フック１３を係合して作業機を吊り上げ、作業機を機体に引き寄せながら下部フック１４，１５へ作業機側の下部ピンを係合し、クイックヒッチ１１を連結させる。
【００１２】
このとき、前記ＰＴＯ連結具の出力部１６と作業機側の入力部とが嵌合するとともに、機体側のカプラ１９へ作業機のカプラが嵌合し、前記クイックヒッチ１１の連結に伴って、動力系並びに電気系双方の伝達系も自動的に接続される。
【００１３】
図１及び図２に示すように、前記ベース１８にはカプラ１９の側面部を囲繞するセフティカバー２０を固着してあり、小石や泥水等の飛散或いは他物の接触からカプラ１９を保護する。そして、このセフティカバー２０の一側部にブラケット２１を設け、このブラケット２１に保護カバー２２のステー２３をピン２４にて枢着し、前記セフティカバー２０に対して保護カバー２２を開閉自在に蝶着する。
【００１４】
該保護カバー２２は前記セフティカバー２０の外形寸法より大に形成され、該保護カバー２２の内側にシール部２５を周設して、該保護カバー２２を閉止したときに前記セフティカバー２０の外形縁部にシール部２５が当接し、小石や泥水等の飛散からカプラ１９を飛散し、非使用時にカプラ１９に泥水や塵芥等の異物が付着しないように保護する。
【００１５】
而して、トラクタに作業機を連結するときは、図１及び図２（ａ）に示すように、保護カバー２２を開放してカプラ１９を露出させ、クイックヒッチ１１の結合とともに双方のカプラを接続して、トラクタと作業機とで電気信号の伝達を行えるようにする。
【００１６】
ここで、保護カバー２２を開放した状態で作業を行ったときに、前記保護カバー２２に小石や泥水等が飛散して保護カバー２２の内側及びシール部２５が汚損されることがある。然る後に、作業が終了してトラクタから作業機を離反したときは、前記保護カバー２２を閉止してカプラ１９を被蔽するが、該カプラ１９へ保護カバー２２を蓋着する際は、図２（ｂ）に示すように、前記保護カバー２２のシール部２５がセフティカバー２０の外形縁部に当接するので、小石や泥水等で汚損された保護カバー２２の内側が直接カプラ１９に接触することがなく、該カプラ１９に土泥等の異物が付着することを防止できる。
【００１７】
尚、前記ブラケット２１とステー２３を結合しているピン２４へネジリコイルバネ２６を介装し、保護カバー２２を閉止方向へ付勢しておき、非使用時のカプラ１９が露出状態とならないようにしてある。
【００１８】
図３は他の実施例を示し、同図（ａ）は作業機側のカプラ２７であり、同図（ｂ）はトラクタ側のカプラ１９である。夫々のカプラ２７及び１９の側面部はセフティカバー２８及び２０にて囲繞されており、小石や泥水等の飛散或いは他物の接触からカプラ２７及び１９を保護する。そして、夫々のセフティカバー２８及び２０の一側部にブラケット２９及び３０を設け、一方のブラケット２９に保護カバー３１のステー３２をピン３３にて枢着するとともに、他方のブラケット３０に保護カバー３４のステー３５をピン３６にて枢着する。
【００１９】
前記保護カバー３１は作業機側のカプラ２７の正面凹部へ内嵌され、該カプラ２７の接続部が露出しないように被蔽する。一方、前記保護カバー３４はトラクタ側のカプラ１９の正面凸部へ外嵌され、該カプラ１９の接続部が露出しないように被蔽する。従って、これら保護カバー３１及び３４を嵌着することにより、非使用時にカプラ２７及び１９内へ泥水や塵芥等の異物が侵入しないように保護できる。
【００２０】
而して、トラクタに作業機を連結するときは、図３（ａ）及び（ｂ）の矢印に示すように、ピン３３及び３６を回動支点としてステー３２及び３５を回動し、二点鎖線で示すように、夫々の保護カバー３１及び３４を開放してカプラ２７及び１９の接続部を露出させ、クイックヒッチの連結とともに双方のカプラ２７及び１９を結合する。斯くして、図４に示すように前記双方のカプラ２７及び１９が接続されて、トラクタと作業機とで電気信号の伝達を行えるようになるが、このとき、前記作業機側の保護カバー３１がトラクタ側の保護カバー３４へ嵌入し、保護カバー３１及び３４が合接する。
【００２１】
このため、双方の保護カバー３１及び３４のカプラ接触面が被蔽され、小石や泥水等の飛散によって保護カバー３１及び３４の夫々のカプラ接触面が汚損されるのを防止できる。従って、トラクタから作業機を離反して夫々のカプラ２７及び１９を再び保護カバー３１及び３４にて閉止する際に、カプラ２７及び１９に土泥等の異物が付着する虞が解消される。
【００２２】
図５は更に他の実施例を示し、トラクタ側のカプラ１９の非使用時に蓋着される保護カバー３７を設け、該保護カバー３７のカプラ接触面を被蔽する保護キャップ３８とともに該保護カバー３７をウレタンやワイヤ等のバンド３９にてカプラ１９の近傍位置へ繋止する。また、ベース１８にキャップホルダ４０を設けて、後述するように保護キャップ３８のみ、或いは保護キャップ３８を介して保護カバー３７を止着できるように形成する。
【００２３】
図６に示すように、前記保護カバー３７の内側にはテーパ状のカプラ接触面３７ａが凹設され、前記カプラ１９の非使用時には、このカプラ接触面３７ａをカプラ１９の正面へ当接して保護カバー３７を蓋着する。また、保護キャップ３８の一側面には、前記保護カバー３７のカプラ接触面３７ａへ嵌入されるテーパ状のプラグ３８ａが設けられており、該プラグ３８ａの中央には円形の凹部３８ｂが形成されている。一方、該保護キャップ３８の他側面には円筒形のソケット３８ｃが設けられている。
【００２４】
更に、前記キャップホルダ４０の内側にはテーパ状の収納部４０ａが凹設され、前記保護キャップ３８の一側面に設けたプラグ３８ａを嵌着できるようにし、該収納部４０ａの中央には円形のボス４０ｂを突設して、前記保護キャップ３８の他側部に設けたソケット３８ｃを嵌着できるように形成されている。
【００２５】
而して、トラクタに作業機を連結するときは、図７に示すように前記保護カバー３７のカプラ接触面３７ａに保護キャップ３８のプラグ３８ａを嵌着し、保護カバー３７と一体になった保護キャップ３８のソケット３８ｃをキャップホルダ４０のボス４０ｂへ嵌着する。即ち、クイックカプラ使用時には、保護カバー３７が保護キャップ３８を介してキャップホルダ４０へ止着され、保護カバー３７の喪失を防止できる。このとき、保護カバー３７のカプラ接触面３７ａは保護キャップ３８のプラグ３８ａによって被蔽されているので、小石や泥水等の飛散によって保護カバー３７のカプラ接触面３７ａが汚損されることはない。
【００２６】
そして、トラクタから作業機を離反してクイックカプラを離脱したときは、図８に示すように、前記カプラ１９の正面へ保護カバー３７のカプラ接触面３７ａを当接して保護カバー３７を蓋着し、非使用時のカプラ１９の接続部が露出しないように被蔽する。前述したように、カプラ１９の使用時に保護カバー３７のカプラ接触面３７ａは被蔽されているので汚損されることがなく、該保護カバー３７をカプラ１９へ蓋着する際にカプラ１９に土泥等の異物が付着する虞が解消される。
【００２７】
また、同図に示すように、前記保護キャップ３８を表裏反転して保護キャップ３８の一側面に設けたプラグ３８ａをキャップホルダ４０の収納部４０ａへ嵌着し、該プラグ３８ａを被蔽して泥水等による汚損を防止する。従って、クイックカプラの使用時になって、図７に示したように保護カバー３７へ該プラグ３８ａを再び嵌着する際に、保護カバー３７のカプラ接触面３７ａに土泥等を付着させることがない。
【００２８】
一方、保護キャップ３８の他側面に設けたソケット３８ｃは、図８に示した状態で泥水等の飛散により汚損されることがあるが、クイックカプラの使用時に保護キャップ３８をキャップホルダ４０へ止着する際は、図７に示したように、該ソケット３８ｃがキャップホルダ４０の収納部４０ａには接触しないので、収納部４０ａに土泥等を付着させることがない。
【００２９】
斯くして、クイックカプラの使用時或いは非使用時に拘わらず、前記保護カバー３７のカプラ接触面３７ａ及び保護キャップ３８のプラグ３８ａは常に土泥等から保護されることになる。
【００３０】
図９はクイックカプラが接続された状態を示し、トラクタ側のカプラ１９の電気ケーブル４１はコントローラ４２に接続され、表示装置４３のモニタランプ４３ａを点灯させてクイックカプラ接続中である旨を告知する。一方、作業機側のカプラ２７の電気ケーブル４４には、ロータリカバーを自動回動させる電動モータ用ハーネスのソケット４４ａと、デプスセンサ用ハーネスのソケット４４ｂと、外部電源取り出し用のソケット４４ｃとが設けられている。前記ソケット４４ａ及び４４ｂへの通電はトラクタ側に設けられた操作スイッチによりオンオフされ、表示装置４３のモニタランプ４３ｂまたは４４ｂを点灯させて、どのソケットに通電中であるかを告知する。
【００３１】
前記外部電源取り出し用のソケット４４ｃには、例えばロータリ作業機に施肥播種機を追加装備した場合に、繰り出しロール駆動電動モータ用のハーネスのプラグを接続する。ロータリ作業機を脱着する際にはクイックヒッチとともにクイックカプラが結合離反され、トラクタと作業機双方の電気ケーブル４１，４４が自動的に接離するので、その都度、施肥播種機のハーネスのコネクタを抜き差しする必要がなくなり、作業が簡素化されるとともにハーネスの切断事故を防止できる。このほか、前記外部電源取り出し用のソケット４４ｃには、ロータリリヤカバーの左右端部に補助均平板を装着した場合に、該補助均平板を開閉する電動シリンダ用のハーネスのプラグを接続する等、種々の追加装備の電源を接続することができる。
【００３２】
そして、外部電源取り出し用のソケット４４ｃに接続した追加装置は、作業機側にスイッチを設けて操作してもよいが、トラクタ側に新たなスイッチを設けて運転席から操作できるようにしてもよい。また、前記コントローラ４２に電気ケーブルの切替スイッチを設け、ロータリ不使用時には該切替スイッチによりロータリ回動操作スイッチを外部電源取り出し用のソケット４４ｃの電気ケーブルへ接続すれば、ロータリ回動操作スイッチにて追加装置の操作が可能となって、新たなスイッチを設ける必要がなくなる。更に、前記ロータリカバーを自動回動させる電動モータ用のハーネスのソケット４４ｂへ追加装置のハーネスのプラグを接続できるようにソケットの形状を共通化しておくことにより、該ソケット４４ｂへ追加装置のハーネスを接続することができ、ロータリ回動操作スイッチにて追加装置の操作が可能となる。
【００３３】
尚、本発明は、本発明の精神を逸脱しない限り種々の改変を為すことができ、そして、本発明が該改変されたものに及ぶことは当然である。
【００３４】
【発明の効果】
本発明は上記一実施例に詳述したように、前記カプラの側面部を囲繞するセフティカバーとこのセフティカバーの外形寸法より大で且つセフティカバーの一側部に開閉自在に蝶着された保護カバーとを備え、この保護カバーを開閉して前記カプラを露出または被蔽するように形成したクイックカプラであって、上記保護カバーはその内側に前記セフティカバーの外形縁部に接離するシール部が周設されているので、作業後に保護カバーによってカプラを蓋着閉止する際、該保護カバーの内側に周設されてなるシール部がセフティカバーの外形縁部に当接し、保護カバーの内側面が直接カプラに接触しないため、該保護カバーに付着した土泥等の異物がカプラを汚損することがない。
【００３５】
又、本発明は、作業機側クイックカプラの電気ケーブルには外部電源取り出し用のソケットを含む複数個のソケットが設けられており、該ソケットへの通電は前記コントローラに設けられた切替スイッチのオン、オフにて操作されると共に、これ等のソケットに対する通電に対応して前記表示装置のモニタランプを点灯告知させるように構成されているので、上記外部電源取り出し用のソケットには、ロータリ作業機に例えば施肥播種機を追加装備した場合に、繰り出しロール駆動電源モータ用のハーネスのプラグを接続するが、前記ロータリ作業機を脱着する際クイックヒッチと共にクイックカプラが結合離反され、トラクタと作業機双方の電気ケーブルが自動的に接離するから、施肥播種機のハーネスのコネクタを抜き差しする必要がなく作業が簡素化されると共にハーネスの切断事故を防止することができ、併せて種々の追加装備の電源を接続することができる。更に又、上記ソケットに対する通電に対応して表示装置のモニタランプを点灯させることによって、どのソケットが通電中であるかを告知させるという付随的効果を伴う。
斯くして、本発明は、カプラの使用時或いは不使用時の何れの状態であってもカプラの汚損を防止でき、安価な装置にて簡易且つ確実にカプラを保護することが可能となった。
【図面の簡単な説明】
【図１】本発明の一実施例を示し、作業機を連結していない状態のクイックヒッチの斜視図。
【図２】（ａ）は保護カバー開放状態のカプラの一部切欠側面図、（ｂ）は保護カバー閉止状態のカプラの一部切欠側面図。
【図３】他の実施例を示し、（ａ）は保護カバー閉止状態の作業機側のカプラの一部切欠側面図、（ｂ）は保護カバー閉止状態のトラクタ側のカプラの一部切欠側面図。
【図４】図３の双方のカプラを接続した状態の一部切欠側面図。
【図５】更に他の実施例を示し、作業機を連結していない状態のクイックヒッチの斜視図。
【図６】図５に示したカプラの保護カバー及び保護キャップ及びキャップホルダの縦断側面図。
【図７】図５に示したカプラ使用時に於ける保護カバー及び保護キャップ及びキャップホルダの縦断側面図。
【図８】図５に示したカプラ不使用時に於ける保護カバー及び保護キャップ及びキャップホルダの縦断側面図。
【図９】クイックカプラが接続された状態の電源ケーブル及びソケットの解説図。
【符号の説明】
１１        クイックヒッチ
１９        カプラ
２０        セフティカバー
２２        保護カバー
２５        シール部
２７        カプラ
【図１】
0003661215.tif 000002
【図２】
0003661215.tif 000003
【図３】
0003661215.tif 000004
【図４】
0003661215.tif 000005
【図５】
0003661215.tif 000006
【図６】
0003661215.tif 000007
【図７】
0003661215.tif 000008
【図８】
0003661215.tif 000009
【図９】
0003661215.tif 000010